(57)【要約】【課題】フォーマットされていないブランクディスクに録画する場合、自動的に最適なフォーマットを行う光ディスク装置を提供することである。【解決手段】ＤＶＤ−Ｒ及び／又はＤＶＤ−ＲＷへの録画機能を有する光ディスク装置１０は、ＤＶＤ−Ｒ又はＤＶＤ−ＲＷのフォーマットされていないブランクディスクに録画する場合、録画するチャンネルがデジタル放送チャンネルであるときは、前記ブランクディスクが著作権保護技術に対応していれば、ＶＲモードでフォーマットする構成とする。【選択図】図１
2012059310.tif 000002
【特許請求の範囲】
【請求項１】
ＤＶＤ−Ｒ及び／又はＤＶＤ−ＲＷへの録画機能を有する光ディスク装置において、
ＤＶＤ−Ｒ又はＤＶＤ−ＲＷのフォーマットされていないブランクディスクに録画する場合、
録画するチャンネルがデジタル放送チャンネルであるときは、前記ブランクディスクが著作権保護技術に対応していれば、ＶＲモードでフォーマットすることを特徴とする光ディスク装置。
【請求項２】
前記録画するチャンネルがデジタル放送チャンネルであるときは、前記ブランクディスクが著作権保護技術に対応していなければ、フォーマットを行わないことを特徴とする請求項１記載の光ディスク装置。
【請求項３】
前記録画するチャンネルがデジタル放送チャンネルであるときは、前記ブランクディスクが著作権保護技術に対応していなければ、ビデオモードでフォーマットすることを特徴とする請求項１記載の光ディスク装置。
【請求項４】
録画するチャンネルがアナログ放送チャンネルであるときは、ビデオモードでフォーマットすることを特徴とする請求項１〜３の何れかに記載の光ディスク装置。
【請求項５】
アナログ入力の外部入力端子を有し、
録画するチャンネルが前記外部入力端子からの入力であるときは、ビデオモードでフォーマットすることを特徴とする請求項１〜３の何れかに記載の光ディスク装置。
【請求項６】
録画するチャンネルがアナログ放送チャンネルであって、録画するコンテンツがコピー制限されているときは、前記ブランクディスクが著作権保護技術に対応していれば、ＶＲモードでフォーマットすることを特徴とする請求項１〜３の何れかに記載の光ディスク装置。
【請求項７】
録画するチャンネルがアナログ放送チャンネルであって、録画するコンテンツがコピー制限されているときは、前記ブランクディスクが著作権保護技術に対応していなければ、フォーマットを行わないことを特徴とする請求項１〜３の何れかに記載の光ディスク装置。
【請求項８】
録画するチャンネルがアナログ放送チャンネルであって、録画するコンテンツがコピー制限されているときは、前記ブランクディスクが著作権保護技術に対応していなければ、ビデオモードでフォーマットすることを特徴とする請求項１〜３の何れかに記載の光ディスク装置。
【請求項９】
録画するチャンネルがアナログ放送チャンネルであって、録画するコンテンツがコピー制限されていないときは、ビデオモードでフォーマットすることを特徴とする請求項１〜３の何れかに記載の光ディスク装置。
【請求項１０】
ＤＶＤ−Ｒ及び／又はＤＶＤ−ＲＷへの録画機能を有する光ディスク装置において、
ＤＶＤ−Ｒ又はＤＶＤ−ＲＷのフォーマットされていないブランクディスクに録画する場合、
録画するコンテンツがコピー制限されているときは、前記ブランクディスクが著作権保護技術に対応していれば、ＶＲモードでフォーマットすることを特徴とする光ディスク装置。
【請求項１１】
前記録画するコンテンツがコピー制限されているときは、前記ブランクディスクが著作権保護技術に対応していなければ、フォーマットを行わないことを特徴とする請求項１０記載の光ディスク装置。
【請求項１２】
前記録画するコンテンツがコピー制限されているときは、前記ブランクディスクが著作権保護技術に対応していなければ、ビデオモードでフォーマットすることを特徴とする請求項１０記載の光ディスク装置。
【請求項１３】
録画するコンテンツがコピー制限されていないときは、ビデオモードでフォーマットすることを特徴とする請求項１０〜１２の何れかに記載の光ディスク装置。
【発明の詳細な説明】
【技術分野】
【０００１】
本発明は、ＤＶＤ−Ｒ及び／又はＤＶＤ−ＲＷへの録画機能を有する光ディスク装置に関する。
【背景技術】
【０００２】
ＤＶＤ（Digital Versatile Disc）の録画フォーマットには、大きく分けてビデオモードとＶＲモードとがある。そして、多くのＤＶＤレコーダは両方のフォーマットに対応している。
【０００３】
ところで近年、テレビ放送のデジタル化が進み、コピーを繰り返してもコンテンツの品質が劣化しなくなったので、著作権を保護する技術が必要不可欠となった。そこで、現在の地上デジタル放送、ＢＳデジタル放送等では、著作権保護技術によりコンテンツのコピーを制限している。
【０００４】
コピーを制限するルールとしては、コピーワンス又はダビング１０がある。コピーワンスは、放送局が放送しデジタル録画したものをコピーすることはできず、ムーブ（移動）１回のみしかできないというルールである。ダビング１０は、放送局が放送しデジタル録画したものをコピー９回とムーブ１回できるというルールである。
【０００５】
そして、コピー制限（コピーワンス又はダビング１０）されているコンテンツをＤＶＤ−ＲやＤＶＤ−ＲＷに記録するには、ＶＲモードでフォーマットすることが必須となる。ビデオモードは著作権保護技術に対応しておらず、コピー制限されているコンテンツを記録することはできない。
【０００６】
さらに、ＶＲモードを用いることに加えて、ＤＶＤ−ＲやＤＶＤ−ＲＷが著作権保護技術であるＣＰＲＭ（Content Protection for Recordable Media）に対応している必要もある。ＣＰＲＭは、コピーワンスを実現する方式の一つである。
【０００７】
そして、ＤＶＤのブランクディスクの扱いにおいて、いつ、どのフォーマットで行うのが好ましいかについて様々な提案がなされている。
【０００８】
例えば、特許文献１には、ＤＶＤのブランクディスクへのコピーが指示されるとフォーマット選択画面を表示する光ディスク装置が開示されている。
【０００９】
また、特許文献２には、１回だけ書き込みが可能な光ディスクへのビデオ録画機能を有する光ディスク記録再生装置において、記録したビデオコンテンツデータの管理情報であるコンテンツ管理情報を記録動作毎に更新して追記し、この追記した最新のコンテンツ管理情報を光ディスク内周部に予め予約しておいた領域にコピーすることでＲＯＭメディアと互換性のあるビデオモードのフォーマットを記録し、コンテンツ管理情報を元にディスク管理情報を生成して記録し、ディスク管理情報に含まれるフラグメント単位でデータへのアクセス情報を管理し、このフラグメント単位の更新をビデオコンテンツデータの更新に連携して行うことが開示されている。
【００１０】
また、特許文献３には、コンテンツのコピー制御情報がコピーワンスであって光ディスクがコピーワンス対応でない場合、トラブルシューティングを表示し、取扱説明書に頼ることなくコピーワンスによるトラブル解決法をユーザに簡単に示す光ディスク装置が開示されている。
【００１１】
また、特許文献４には、初期設定でＶＲモードを選んでおくことにより、未使用のＤＶＤ−Ｒであることを検出した場合、自動的にＶＲモードでフォーマットするビデオレコーダが開示されている。
【先行技術文献】
【特許文献】
【００１２】
【特許文献１】特開２００９−５４２２２号公報
【特許文献２】特開２００７−１６４９５１号公報
【特許文献３】特開２００７−１５７２０７号公報
【特許文献４】特開２００６−３２４７４４号公報
【発明の概要】
【発明が解決しようとする課題】
【００１３】
しかしながら、特許文献１〜４では、ＤＶＤ−ＲやＤＶＤ−ＲＷに録画する場合、放送の種類やディスクの著作権保護技術への対応を装置が判断してフォーマットの種類を決めているわけではないので、必ずしも最適なフォーマットが行われているとは言えない。また、ユーザによるフォーマットの種類の選択が必要な場合は、ユーザの負担が大きい。
【００１４】
本発明は、フォーマットされていないブランクディスクに録画する場合、自動的に最適なフォーマットを行う光ディスク装置を提供することを目的とする。
【課題を解決するための手段】
【００１５】
上記目的を達成するために本発明は、ＤＶＤ−Ｒ及び／又はＤＶＤ−ＲＷへの録画機能を有する光ディスク装置において、ＤＶＤ−Ｒ又はＤＶＤ−ＲＷのフォーマットされていないブランクディスクに録画する場合、録画するチャンネルがデジタル放送チャンネルであるときは、前記ブランクディスクが著作権保護技術に対応していれば、ＶＲモードでフォーマットすることを特徴とする。
【００１６】
上記の光ディスク装置において、前記録画するチャンネルがデジタル放送チャンネルであるときは、前記ブランクディスクが著作権保護技術に対応していなければ、フォーマットを行わないことが望ましい。
【００１７】
また上記の光ディスク装置において、前記録画するチャンネルがデジタル放送チャンネルであるときは、前記ブランクディスクが著作権保護技術に対応していなければ、ビデオモードでフォーマットしてもよい。
【００１８】
また上記の光ディスク装置において、録画するチャンネルがアナログ放送チャンネルであるときは、ビデオモードでフォーマットしてもよい。
【００１９】
また上記の光ディスク装置において、アナログ入力の外部入力端子を有し、録画するチャンネルが前記外部入力端子からの入力であるときは、ビデオモードでフォーマットすることが望ましい。
【００２０】
また上記の光ディスク装置において、録画するチャンネルがアナログ放送チャンネルであって、録画するコンテンツがコピー制限されているときは、前記ブランクディスクが著作権保護技術に対応していれば、ＶＲモードでフォーマットすることが望ましい。
【００２１】
また上記の光ディスク装置において、録画するチャンネルがアナログ放送チャンネルであって、録画するコンテンツがコピー制限されているときは、前記ブランクディスクが著作権保護技術に対応していなければ、フォーマットを行わないことが望ましい。
【００２２】
また上記の光ディスク装置において、録画するチャンネルがアナログ放送チャンネルであって、録画するコンテンツがコピー制限されているときは、前記ブランクディスクが著作権保護技術に対応していなければ、ビデオモードでフォーマットしてもよい。
【００２３】
また上記の光ディスク装置において、録画するチャンネルがアナログ放送チャンネルであって、録画するコンテンツがコピー制限されていないときは、ビデオモードでフォーマットすることが望ましい。
【００２４】
また本発明は、ＤＶＤ−Ｒ及び／又はＤＶＤ−ＲＷへの録画機能を有する光ディスク装置において、ＤＶＤ−Ｒ又はＤＶＤ−ＲＷのフォーマットされていないブランクディスクに録画する場合、録画するコンテンツがコピー制限されているときは、前記ブランクディスクが著作権保護技術に対応していれば、ＶＲモードでフォーマットすることを特徴とする。
【００２５】
上記の光ディスク装置において、前記録画するコンテンツがコピー制限されているときは、前記ブランクディスクが著作権保護技術に対応していなければ、フォーマットを行わないことが望ましい。
【００２６】
また上記の光ディスク装置において、前記録画するコンテンツがコピー制限されているときは、前記ブランクディスクが著作権保護技術に対応していなければ、ビデオモードでフォーマットしてもよい。
【００２７】
また上記の光ディスク装置において、録画するコンテンツがコピー制限されていないときは、ビデオモードでフォーマットすることが望ましい。
【発明の効果】
【００２８】
本発明によると、ＤＶＤ−Ｒ又はＤＶＤ−ＲＷのフォーマットされていないブランクディスクに録画する場合、光ディスク装置が自動的に最適なフォーマットを行うので、ユーザは放送の種類やディスクの著作権保護技術への対応を判断してフォーマットの種類を決める必要がなく、ユーザの負担が大幅に軽減される。
【図面の簡単な説明】
【００２９】
【図１】本発明の光ディスク装置の構成及びその周辺機器を示すブロック図である。
【図２】本発明の光ディスク装置におけるフォーマットに関する動作を示すフローチャートである。
【図３】本発明の光ディスク装置におけるフォーマットに関する動作を示すフローチャートである。
【発明を実施するための形態】
【００３０】
以下、ＤＶＤ−Ｒ及び／又はＤＶＤ−ＲＷへの録画機能を有する光ディスク装置の一例として、デジタルテレビ放送を受信して録画したり、外部入力を録画したりできる、ハードディスクドライブ（ＨＤＤ）一体型の光ディスク装置を用いて説明する。
【００３１】
図１は、光ディスク装置１０の構成及びその周辺機器を示すブロック図である。光ディスク装置１０には、テレビ等の表示装置１１と、ケーブルテレビや衛星放送等のセットトップボックス又はビデオデッキ等の映像音声記録装置に代表される外部装置１２とが接続されている。また光ディスク装置１０は、リモコン１３によって操作可能である。以下では、光ディスクとしてＤＶＤを例に説明するが、本光ディスク装置１０はＢＤ（Blu-ray Disc）の録画／再生にも対応している。
【００３２】
光ディスク装置１０は、アンテナ１５で受信したデジタルテレビ放送信号を復調、デジタル化するチューナ１６と、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする映像／音声圧縮伸長部１７と、映像／音声圧縮伸長部１７から受け取った圧縮された映像／音声データをＨＤＤに記録したり、ＨＤＤに記録されたデータを再生したりするＨＤＤ記録再生部１８と、映像／音声圧縮伸長部１７から受け取った圧縮された映像／音声データを挿入されたＤＶＤ又はＢＤに記録したり、ＤＶＤ又はＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの映像信号をアナログ化し、表示装置１１へ出力する映像出力部２１と、映像／音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続されるアナログ入力の外部入力端子を有する外部Ｉ／Ｆ２５と、光ディスク装置１０の各部を制御する制御部２６とを備えている。
【００３３】
また、制御部２６は、ＤＶＤ−Ｒ又はＤＶＤ−ＲＷのフォーマットされていないブランクディスクに録画（予約録画も含む）する場合、最適なフォーマットのモードを判別して自動的にそのモードでフォーマットを行うように指示する制御も行う。以下に、この制御について詳しく説明する。
【００３４】
図２は、光ディスク装置１０におけるフォーマットに関する動作を示すフローチャートである。リモコン１３や光ディスク装置１０の操作パネル（不図示）がユーザにより操作され、所望の番組をＤＶＤに録画する予約がなされた場合、ステップＳ１０において、制御部２６は光ディスク装置１０にセット（挿入）された光ディスクが、ＤＶＤ−Ｒ又はＤＶＤ−ＲＷのフォーマットされていないブランクディスクか否かを判別する。
【００３５】
なお、ステップＳ１０の動作は録画開始前の少なくとも２、３分前までに行う必要がある。以下のステップにおいて録画開始までにフォーマットを完了させるためである。
【００３６】
ステップＳ１０においてＤＶＤ−Ｒ又はＤＶＤ−ＲＷのフォーマットされていないブランクディスクではないと判別した場合は、本フローチャートの動作を終了する。その後は、例えば、光ディスクが録画可能な状態であれば録画予約の待機状態とし、光ディスクが録画不可能な状態であればエラーメッセージを出力するなどとすればよい。
【００３７】
一方、ステップＳ１０においてＤＶＤ−Ｒ又はＤＶＤ−ＲＷのフォーマットされていないブランクディスクであると判別した場合は、ステップＳ１１へ進んで、制御部２６は録画する（録画予約されている）チャンネルが外部入力であるか否かを判別する。つまり、外部入力であればアナログ入力であると判別でき、外部入力でなければチューナ１６で受信するデジタル放送チャンネルであると判別できる。
【００３８】
なお、光ディスク装置がデジタルチューナ及びアナログチューナを有している仕様の場合は、ステップＳ１１において、チャンネル番号などデジタル放送又はアナログ放送に特有の情報からデジタル放送かアナログ放送かを判別すればよい。
【００３９】
ステップＳ１１において録画するチャンネルがアナログの外部入力（アナログ放送チャンネル）でない場合、つまり、デジタル放送チャンネルである場合は、ステップＳ１２へ進んで、制御部２６は録画する光ディスクが著作権保護技術であるＣＰＲＭ対応か否かを判別する。
【００４０】
ＣＰＲＭ対応メディアには１枚ごとに固有の「メディアＩＤ」と一定の生産枚数ごとに変更される「ＭＫＢ」(Media Key Block)と呼ばれる情報が記録されている。そこで、光ディスク装置１０において、挿入されたブランクディスクがＣＰＲＭ対応メディアか否か判別するには、メディアＩＤ及び／又はＭＫＢの有無を検出すればよい。
【００４１】
ステップＳ１２においてＣＰＲＭ対応ディスクである場合は、ステップＳ１３へ進んで、制御部２６はＶＲモードでフォーマットするように制御し、ＢＤ／ＤＶＤ記録再生部１９がフォーマットを実施する。
【００４２】
この場合、光ディスクがＶＲモードでフォーマットされるのでデジタル放送チャンネルを録画できる状態となる。その後は、例えば、録画予約の待機状態とすればよい。
【００４３】
一方、ステップＳ１２においてＣＰＲＭ対応ディスクでない場合は、ステップＳ１４へ進んで、制御部２６はフォーマットしないように制御する。なお、ステップＳ１４では、ビデオモードでフォーマットを実施してもよい。これらは予めユーザ設定でユーザの所望の動作に設定できるものとする。
【００４４】
この場合、光ディスクは録画予約されたデジタル放送チャンネルを録画することはできない。その後は、例えば、ディスクが対応していないので録画ができない旨のエラーメッセージを出力するなどとすればよい。
【００４５】
一方、ステップＳ１１において録画するチャンネルがアナログの外部入力（アナログ放送チャンネル）である場合は、ステップＳ１５へ進んで、制御部２６は録画するコンテンツがコピー制限（コピーワンスなど）されているか否かを判別する。この判別は、コンテンツの番組情報を用いたり、チャンネル自体がコピー制限されているチャンネルであることを用いたりすることができる。
【００４６】
ステップＳ１５において録画するコンテンツがコピー制限されていない場合は、ステップＳ１６へ進んで、制御部２６はビデオモードでフォーマットするように制御し、ＢＤ／ＤＶＤ記録再生部１９がフォーマットを実施する。なお、ステップＳ１６では、ＶＲモードでフォーマットを実施してもよい。これらは予めユーザ設定でユーザの所望の動作に設定できるものとする。
【００４７】
この場合、光ディスクがビデオモード（又はＶＲモード）でフォーマットされるのでアナログ放送チャンネルを録画できる状態となる。その後は、例えば、録画予約の待機状態とすればよい。
【００４８】
一方、ステップＳ１５において録画するコンテンツがコピー制限されている場合は、ステップＳ１７へ進んで、制御部２６は録画する光ディスクがＣＰＲＭ対応か否かを判別する。
【００４９】
ステップＳ１７においてＣＰＲＭ対応ディスクである場合は、ステップＳ１８へ進んで、制御部２６はＶＲモードでフォーマットするように制御し、ＢＤ／ＤＶＤ記録再生部１９がフォーマットを実施する。
【００５０】
この場合、光ディスクがＶＲモードでフォーマットされるのでアナログ放送チャンネルでかつコピー制限されているコンテンツを録画できる状態となる。その後は、例えば、録画予約の待機状態とすればよい。
【００５１】
一方、ステップＳ１７においてＣＰＲＭ対応ディスクでない場合は、ステップＳ１９へ進んで、制御部２６はフォーマットしないように制御する。なお、ステップＳ１９では、ビデオモードでフォーマットを実施してもよい。これらは予めユーザ設定でユーザの所望の動作に設定できるものとする。
【００５２】
この場合、光ディスクは録画予約されたコピー制限のあるアナログ放送チャンネルを録画することはできない。その後は、例えば、ディスクが対応していないので録画ができない旨のエラーメッセージを出力するなどとすればよい。
【００５３】
なお、コピー制限のあるアナログ放送を受信できない装置であれば、ステップＳ１５、ステップＳ１７〜ステップＳ１９は必要ではなく、ステップＳ１１のＹの場合、ステップＳ１６へ進むようなフローチャートとすればよい。
【００５４】
また、本発明の光ディスク装置１０においては、図２の動作以外にも図３に示すような動作を採用することもできる。
【００５５】
図３は、光ディスク装置１０におけるフォーマットに関する動作を示すフローチャートである。リモコン１３や光ディスク装置１０の操作パネル（不図示）がユーザにより操作され、所望の番組をＤＶＤに録画する予約がなされた場合、ステップＳ３０において、制御部２６は光ディスク装置１０にセット（挿入）された光ディスクが、ＤＶＤ−Ｒ又はＤＶＤ−ＲＷのフォーマットされていないブランクディスクか否かを判別する。
【００５６】
なお、ステップＳ３０の動作は録画開始前の少なくとも２、３分前までに行う必要がある。以下のステップにおいて録画開始までにフォーマットを完了させるためである。
【００５７】
ステップＳ３０においてＤＶＤ−Ｒ又はＤＶＤ−ＲＷのフォーマットされていないブランクディスクではないと判別した場合は、本フローチャートの動作を終了する。その後は、例えば、光ディスクが録画可能な状態であれば録画予約の待機状態とし、光ディスクが録画不可能な状態であればエラーメッセージを出力するなどとすればよい。
【００５８】
一方、ステップＳ３０においてＤＶＤ−Ｒ又はＤＶＤ−ＲＷのフォーマットされていないブランクディスクであると判別した場合は、ステップＳ３１へ進んで、制御部２６は録画するコンテンツがコピー制限（コピーワンスなど）されているか否かを判別する。この判別は、コンテンツの番組情報を用いたり、チャンネル自体がコピー制限されているチャンネルであることを用いたりすることができる。
【００５９】
ステップＳ３１において録画するコンテンツがコピー制限されていない場合は、ステップＳ３２へ進んで、制御部２６はビデオモードでフォーマットするように制御し、ＢＤ／ＤＶＤ記録再生部１９がフォーマットを実施する。なお、ステップＳ３２では、ＶＲモードでフォーマットを実施してもよい。これらは予めユーザ設定でユーザの所望の動作に設定できるものとする。
【００６０】
この場合、光ディスクがビデオモード（又はＶＲモード）でフォーマットされるのでコピー制限されていないチャンネル（例えばアナログ放送チャンネルのコピー制限のされていないチャンネル）を録画できる状態となる。その後は、例えば、録画予約の待機状態とすればよい。
【００６１】
一方、ステップＳ３１において録画するコンテンツがコピー制限されている場合は、ステップＳ３３へ進んで、制御部２６は録画する光ディスクがＣＰＲＭ対応か否かを判別する。
【００６２】
ステップＳ３３においてＣＰＲＭ対応ディスクである場合は、ステップＳ３４へ進んで、制御部２６はＶＲモードでフォーマットするように制御し、ＢＤ／ＤＶＤ記録再生部１９がフォーマットを実施する。
【００６３】
この場合、光ディスクがＶＲモードでフォーマットされるのでデジタル放送チャンネルなどのコピー制限されているチャンネルを録画できる状態となる。その後は、例えば、録画予約の待機状態とすればよい。
【００６４】
一方、ステップＳ１２においてＣＰＲＭ対応ディスクでない場合は、ステップＳ３５へ進んで、制御部２６はフォーマットしないように制御する。なお、ステップＳ３５では、ビデオモードでフォーマットを実施してもよい。これらは予めユーザ設定でユーザの所望の動作に設定できるものとする。
【００６５】
この場合、光ディスクは録画予約されたコピー制限されたチャンネルを録画することはできない。その後は、例えば、ディスクが対応していないので録画ができない旨のエラーメッセージを出力するなどとすればよい。
【００６６】
図２又は図３のような動作によれば、ＤＶＤ−Ｒ又はＤＶＤ−ＲＷのフォーマットされていないブランクディスクに録画する場合、光ディスク装置１０が自動的に最適なフォーマットを行うので、ユーザは放送の種類やディスクの著作権保護技術への対応を判断してフォーマットの種類を決める必要がなく、ユーザの負担が大幅に軽減される。
【００６７】
なお、本発明の光ディスク装置において、ビデオモードでフォーマットする場合、実際の動作としては、録画開始前にフォーマットはせず、録画開始時にビデオフォーマットで録画するようにしてもよい。
【産業上の利用可能性】
【００６８】
本発明は、ＤＶＤレコーダ、ＢＤ／ＤＶＤレコーダ、ＨＤＤ一体型ＤＶＤレコーダ、ＨＤＤ一体型ＢＤ／ＤＶＤレコーダなど、ＤＶＤ−Ｒ及び／又はＤＶＤ−ＲＷへの録画機能を有する光ディスク装置に利用することができる。
【符号の説明】
【００６９】
１０  光ディスク装置
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
【図１】
2012059310.tif 000003
【図２】
2012059310.tif 000004
【図３】
2012059310.tif 000005